Podtech/llm-jp-corpus-v4-ja_patent huggingface dataset:
(57)【要約】【課題】本来の味を損なわずに醤油を使用しない製造方法【解決手段】醤油の塩分から食塩に換算後、他の調味料は通常通り配合する事で通常の佃煮との違和感をさほど感じず食せる【特許請求の範囲】
【請求項１】
佃煮の製造において従来使用している醤油を一切使用せずに製造する。
【発明の詳細な説明】
【技術分野】
【０００１】本件は従来の醤油を使った佃煮の製造方法とは違った手段を取るための製造方法に関する。
【発明の開示】
【発明が解決しようとする課題】佃煮といえば醤油が連想され、醤油は万能であるが、醤油にこだわらず他の方法で佃煮を製造できないか。
【課題を解決するための手段】佃煮の製造において従来使用している醤油を一切使用せずに塩を代用し製造する
(57)【要約】【課題】インバータ制御装置の出荷試験の定格電流を流す試験項目を実施するにあたり、モータ、負荷機を使用する従来方式では、安全性、保守性に課題があった。【解決手段】従来方式のモータ、負荷機の代わりに変圧器を使用し、変圧器一次側にインバータ制御装置を、変圧器二次側に電源回生装置を接続し、電源回生装置を制御することで、インバータ制御装置出力電流である変圧器一次側電流を定格電流に制御する構成とし、インバータ制御装置の出荷試験を変圧器等の静止機器で構成することによって、安全性の確保、保守性の簡便さを確保する。【選択図】図１
2010124672.tif 000002
【特許請求の範囲】
【請求項１】
インバータ制御装置に定格電流を流し、該インバータ制御装置の特性確認を行なう試験において、前記インバータ制御装置の出力に変圧器の一次側を接続し、一定周波数の電圧が印加されるように前記インバータ制御装置を運転し、該変圧器の二次側には電源回生装置を接続し、前記変圧器の二次側の出力を電源に返すと共にその電力を制御することで、前記インバータ制御装置の出力電流が定格電流になるようにし、特性確認試験を実施できるような構成を有することを特徴とするインバータ制御装置の試験装置。
【発明の詳細な説明】
【技術分野】
【０００１】
本発明は、インバータ制御装置を製作し、出荷前に実施する実負荷運転に相当する試験を実施するための試験装置に関するものである。
【背景技術】
【０００２】
インバータ制御装置（以下単にインバータと言う）を製作し、出荷前に実施する試験には、エージング試験、耐圧試験など多々あるが、インバータの定格電流まで流す実負荷運転に相当する試験項目がある。
このためには、被試験機であるインバータ容量に見合ったモータを運転し、さらに、モータには負荷機を接続し、モータに負荷をかけることでインバータの定格電流を流している。
【０００３】
図２は従来方式の試験装置の実施例であり、これにより、従来方式を説明する。
被試験装置であるインバータ１は、その容量に見合ったモータ２を電源４から電源を受けて駆動する。この時、計測器３により、電流や電圧など出荷試験に必要な情報を計測している。
モータ２には、モータと負荷機を接続するカプリング６により負荷機５が接続されており、その出力は電源回生装置７により電源４に接続されている。
【０００４】
今、インバータ１はモータ２を一定周波数で運転し、電源回生装置７は負荷機５より得られる電力を、電源４へ回生する構成としている。この電源回生装置７は、例えば電流制御を行い、インバータ１にその定格電流が流れるように負荷機５を制御するものである。
これにより、インバータ１には定格電流を流すことが可能となり、出荷のための試験を実施することができる。
【特許文献１】特許第２９２３５０７号公報
【発明の開示】
【発明が解決しようとする課題】
【０００５】
従来の図２における試験装置においては、インバータ容量に見合った、モータ及び負荷機が必要であり、試験装置を数種類準備する必要があった。更に、モータは回転体であり、危険要素があり、保守の煩雑さがあるなどの解決すべき課題があった。
【課題を解決するための手段】
【０００６】
本発明の試験装置は、従来のモータ及びその負荷機を変圧器に置き換えたものであり、請求項１の発明によれば、インバータ制御装置に定格電流を流し、該インバータ制御装置の特性確認を行なう試験において、前記インバータ制御装置の出力に変圧器の一次側を接続し、一定周波数の電圧が印加されるように前記インバータ制御装置を運転し、該変圧器の二次側には電源回生装置を接続し、前記変圧器の二次側の出力を電源に返すと共にその電力を制御することで、前記インバータ制御装置の出力電流が定格電流になるようにし、特性確認試験を実施できるような構成を有することを特徴とするインバータ制御装置の試験装置である。
【発明の効果】
【０００７】
本発明によれば、試験装置は変圧器と電源回生装置で構成され、インバータ容量に関係なく対応できるため、従来の課題であった、試験装置の数種類のモータ、負荷機を準備する必要がなく、更に、変圧器が静止機であるため、安全上の問題もなく、また、保守の煩雑さの軽減が可能となる。
【発明を実施するための最良の形態】
【０００８】
インバータ制御装置の出荷試験を変圧器等の静止機器で構成する。
【実施例】
【０００９】
図１は、本発明装置の一実施例あって、インバータ１、計測器３、電源４、電源回生装置７は、図２と同様である。また、８は変圧器であり、図２の従来試験装置のモータ２及び負荷機５の代用をするものである。
本図により、本発明の詳細を説明する。
【００１０】
インバータ１は電源４を受け、一定周波数で運転し、変圧器８の一次側に電圧を印加している。変圧器８の二次側には電源回生装置７が接続され、変圧器８の二次側の電力を電源４へ回生する制御を行い、結果として、変圧器８の一次電流でありインバータ１の出力電流を制御し、これをインバータ１の定格電流となるよう制御する。
この時、計測器３により、電流や電圧など出荷試験に必要な情報を計測する。
【００１１】
本発明によれば、モータ２及び負荷機５の容量は、インバータ１の容量に関係なく選定しておくことが可能で、インバータ１の容量に見合った設備を数種類用意する必要がなく、また、変圧器８は静止機であるため、安全性も確保され、保守の必要性も低減され、従来の課題を解消することが可能となる。
【産業上の利用可能性】
【００１２】
本試験装置は、電源回生装置を被試験装置とし、インバータをそのための試験装置としても利用可能である。
【図面の簡単な説明】
【００１３】
【図１】本発明による、インバータ制御装置の試験装置の説明図である。（実施例）
【図２】従来のインバータ制御装置の試験装置の説明図である。（実施例）
【符号の説明】
【００１４】
１    被試験装置であるインバータ
２    モータ
３    計測器
４    電源
５    負荷機
６    モータと負荷機を接続するカプリング
７    電源回生装置
８    変圧器
【図１】
2010124672.tif 000003
【図２】
2010124672.tif 000004
(57)【要約】【課題】  電気工事において電話の配管配線は、従来各室へ専用で配管配線していた。その電話用配管配線を他の配線を利用して省力化できないか。【解決手段】  各室へはインターネット用のＬＡＮ配線もありＬＡＮケーブルの空き回線を利用する。【選択図】図１
2010124674.tif 000002
【特許請求の範囲】
【請求項１】
インターネット用ＬＡＮケーブル４対８心の内使用していない回線を電話回線に利用することを特徴とするシステム
【請求項２】
請求項１の空き回線を利用するためＬＡＮ用回線と電話回線を分けるＨＡＢ（８）
【請求項３】
請求項１の空き回線を利用するためＬＡＮケーブル配線引出用メディアボックス（５）内でＬＡＮ用モジュラー（４）と電話モジュラー（３）を渡り線（１２）によりに接続してＬＡＮ回線と電話回線を分けるメディアボックス（５）
【請求項４】
請求項１の空き回線を利用するためブロードバンドルーター  光回線終端装置一体型（１７）の場合ＬＡＮ用回線と電話回線をルーター（１７）内で分け電話回線を外部へ引出せる光回線終端装置付ブロードバンドルーター（１７）
【発明の詳細な説明】
【技術分野】
【０００１】    本発明は小規模のＬＡＮシステムにおいてＬＡＮケーブルの空き回線を電話の通信用  に使用するシステムに関する。
【背景技術】
【０００２】    従来のＬＡＮケーブルでは４対のケーブルのうち２対の電線はＬＡＮでは使用してな  い空き回線である。
【発明の開示】
【発明が解決しようとする課題】
【０００３】      電話通話用の配線工事の省力化が出来ないか。【０００４】    本発明はＬＡＮ用ケーブル配線の空き回線を電話通話用の配線に使用することにより  電話通話用専用配線工事の省力化を目的とするものである。
【課題を解決するための手段】
【０００５】    本発明は上記目的を達成するためＬＡＮ用ケーブル配線の空き回線を電話通話用の配  線に使用することにより電話通話用専用配線工事の省力化をするものである。
【発明の効果】
【０００６】    本発明により電話通話用専用配線工事の必要がなくなり電気工事の省力化ができる。
【発明を実施するための最良の形態】
【０００７】    以下、本発明の実施の形態を図１〜図５に基ずいて説明する。【０００８】    本発明の実施形態を図面１で説明するとインターネット用光回線（１１）を引込み、  光回線終端装置（１０）とブロードバンドルーター（９）を経由しＨＵＢ（８）により  各パソコンにＬＡＮケーブル（７）で配線する本発明はＬＡＮケーブル（７）の空き回  線（６）を電話通話用として使用する。【０００９】    図面２においてＨＵＢ（８）では電話回線とＬＮＡ配線を分けて引出し電話線の外部  引出し端子（１３）で外部電話回線と接続する。【００１０】    電話回線の電話機側の引出は図面３のメディアボックス（５）のＬＡＮ用モジュラー  （４）にＬＡＮケーブルを接続すれば渡り線（１２）により電話用モジュラーに電話回  線が接続される。【００１１】    図面４においては、ブロードバンドルーター  光回線終端装置一体型の場合の配線系  統図で、図面５でルーター（１７）内で、ＬＡＮ配線より電話回線を分け外部に引出し  端子（１３）に電話通信引出線（１８）を接続する。
【図面の簡単な説明】
【００１２】
【図１】本発明の実施形態を示す配線系統図
【図２】光回線を引込み、ＬＡＮ用ケーブルに接続するまでで電話回線との切分けまでの配線系統詳細図
【図３】ＬＡＮ用配線の終端部の電話  パソコンへの取出口のメディアコンセントの配線詳細図
【図４】ブロードバンドルーター  光回線終端装置一体型の場合の配線系統図
【図５】図４のルーター内配線詳細図
【符号の説明】
【００１３】  １  電話
２  パソコン
３  電話用モジュラー
４  インターネット用モジュラー
５  メディアボックス
６  ＬＡＮ用ケーブル電話通信使用線
７  ＬＡＮ用ケーブル
８  ＨＵＢ
９  ブロードバンドルーター
１０  光回線終端装置
１１  光回線引込
１２  メディアボックス内ＬＡＮ用モジューラーと電話モジュラーの渡り線
１３  ＨＡＢ内より電話線の引出し端子
１４  ＨＡＢより引だされた電話線
１５  ルーターよりの光電話回線取出し端子
１６  ルーター内電話線
１７  光回線終端装置付ブロードバンドルーター
１８  ルーター電話通信線引出線
【図１】
2010124674.tif 000003
【図２】
2010124674.tif 000004
【図３】
2010124674.tif 000005
【図４】
2010124674.tif 000006
【図５】
2010124674.tif 000007
(57)【要約】【課題】  定電流スイッチング電源回路の負荷電流を検出する従来の方法は、レベルシフト回路などの挿入が必要になるため、多くの部品が必要になり、そのため価格が高く、電源の寸法も大きくなる欠点がある。【解決手段】  簡易な回路によりレベルシフト回路を省くため、スイッチング素子に直列に電流検出用抵抗器を接続し、この抵抗器の電圧降下の内、スイッチング素子導通時間のみの電圧降下を伝達する手段を設けるようにした。【選択図】図１
2010124675.tif 000002
【特許請求の範囲】
【請求項１】
スイッチング素子に直列に電流検出用抵抗器を接続し、この抵抗器の電圧降下の内、スイッチング素子導通時間のみの電圧降下を伝達する手段を設けてなる定電流スイッチング電源回路。
【発明の詳細な説明】
【技術分野】
【０００１】  本発明は、水銀灯に代表される高圧放電灯を点灯させる電源や、ＬＥＤを点灯させる電源などに使用される定電流スイッチング電源回路の負荷電流を検出する方法に関するものである。
【背景技術】
【０００２】  定電流スイッチング電源を構成するには、負荷に流れる電流を検出する必要がある。負荷に流れる電流に応じてスイッチング素子の導通比を加減し、制御することにより負荷に定電流を流すようにしている。【０００３】  図３は従来の定電流スイッチング電源回路の一実施例で、電流検出をグラウンドと負荷の間に設けた抵抗器の両端電圧降下により検出し、電源側に設けたスイッチング素子により負荷電流を加減制御している。スイッチング素子が電源側に設けられており、スイッチング素子とスイッチング制御回路のグラウンド電位が異なるため、スイッチング素子とスイッチング制御回路の間にレベルシフト回路を挿入する必要がある。【０００４】  図４は従来の他の定電流スイッチング電源回路の実施例で、スイッチング素子をグラウンドと負荷の間に設けている。この回路では、スイッチング素子とスイッチング制御回路のグラウンド電位が同一であるためレベルシフト回路がなくても直結できる。しかし、電流検出用の抵抗器は電源と負荷の間に設けることになり、スイッチング制御回路と抵抗器のグラウンド電位が異なるため、スイッチング制御回路と抵抗器の間にレベルシフト回路を挿入する必要がある。【０００５】  その他、負荷電流を磁気的に検出する手段などがあるが、いずれの手段も特別な部品が必要になり、価格、大きさの面で難がある。
【発明の開示】
【発明が解決しようとする課題】
【０００６】  定電流スイッチング電源回路の負荷電流を検出する従来の方法は、レベルシフト回路などの挿入が必要になるため、多くの部品が必要になり、そのため価格が高く、電源の寸法も大きくなる欠点がある。
【課題を解決するための手段】
【０００７】  前記問題点を解決するには、レベルシフト回路を省き簡易な回路にする必要がある。本発明では、スイッチング素子に直列に電流検出用抵抗器を接続し、この抵抗器の電圧降下の内スイッチング素子導通時間のみの電圧降下を取り出すための手段を設けるようにした。【０００８】  具体的にはレベルシフト回路を省くため、スイッチング素子と電流検出用抵抗器を直列に接続したものをグラウンドと負荷の間に設け、この電流検出用抵抗器の電圧降下の内、スイッチング素子導通時間のみの電圧降下を取り出し、取り出した電圧が一定値となるようにスイッチング制御回路を動作させれば良い。
【発明の効果】
【０００９】  以上のように、本発明によればレベルシフト回路などのような部品数の多い手段を使わず、汎用部品数点のみの簡便な回路で負荷電流に比例する信号電圧を得ることができるので、安価で、寸法の小さい電源回路を提供できる。
【発明を実施するための最良の形態】
【００１０】  以下、図面に基づき本発明の実施の形態を説明する。【００１１】  図１は、本発明の一実施例を示す定電流スイッチング電源の回路図である。【００１２】  端子Ａに正、端子Ｂに負の直流電圧が印加されると、ＦＥＴなどのスイッチング素子１が導通時には、電流は負荷３、チョークコイル４、スイッチング素子１、及び電流検出用抵抗器２を通して流れる。この時電流検出用抵抗器２には負荷電流に応じた電流が流れ、この電流による降下電圧はスイッチング素子６、抵抗器７を通じてコンデンサ８を充電し、コンデンサ８の電位がスイッチング制御回路９に印加される。【００１３】  コンデンサ８の電位は電流検出用抵抗器２に流れる電流値により変化するが、コンデンサ８の電位が一定値を超えるとスイッチング制御回路９がスイッチング素子１を遮断させる。スイッチング素子１が非導通時には、チョークコイルの蓄積エネルギーにより負荷３には、フライホイールダイオード５を通して電流が流れる。【００１４】  このときの各部の電流は図２の通りである。負荷電流はチョークコイル４に流れる電流の平均値であり、チョークコイル電流はスイッチング素子１に流れる電流とフライホイールダイオード５に流れる電流の合計である。スイッチング素子１導通時間内に限った電流変化の平均値はチョークコイル４に流れる電流値の平均値と同一である。従って、電流検出用抵抗器２の電圧降下の内スイッチング素子１の導通時間だけを抜き出して平均化すると、負荷電流に比例した電圧を得ることができる。【００１５】  本実施例では、電流検出用抵抗器２の電圧降下抜き出しを小型のＦＥＴなどのスイッチング素子６によって行っている。ＦＥＴなどのスイッチング素子１と小型ＦＥＴなどのスイッチング素子６のゲート端子及びソース端子を並列接続するだけで、負荷電流に比例する信号電圧を得ることが可能になった。
【図面の簡単な説明】
【００１６】
【図１】本発明の一実施例を示す定電流スイッチング電源回路図。
【図２】本発明の各部品に流れる電流値の時間的変化図。
【図３】従来の定電流スイッチング電源回路図。
【図４】従来の他の定電流スイッチング電源回路図。
【符号の説明】
【００１７】１  スイッチング素子
２  電流検出用抵抗器
３  負荷
４  チョークコイル
５  フライホイールダイオード
６  小型スイッチング素子
７  抵抗器
８  コンデンサ
９  スイッチング制御回路
【図１】
2010124675.tif 000003
【図２】
2010124675.tif 000004
【図３】
2010124675.tif 000005
【図４】
2010124675.tif 000006
(57)【要約】      （修正有）【課題】鍛造用金型全体を予熱するための、金型形状に合わせた制御付き金型予熱装置を提供する。【解決手段】鍛造用の金型形状にあわせた電気ヒーター2、6とマトリックス1、5の組み合わせにより、金型表面への熱源の密着度を高めて熱伝導率を上げ、高温加熱された空気を逃がさず加熱する。制御装置3をつけることにより作業者が代わっても同状態の予熱ができるようにする。【選択図】図２
2010269369.tif 000002
【特許請求の範囲】
【請求項１】
熱伝導性物質からなるマトリックスと該マトリックスに埋設された電気ヒーターとからなる、鍛造用金型を熱する装置であって、前記ヒーターは温度制御装置とタイマーに接続されていることを特徴とする鍛造用金型の予熱装置。
【請求項２】
前記マトリックスが円筒状であることを特徴とする請求項１記載の鍛造用金型の予熱装置。
【請求項３】
前記マトリックスの一方側に、曲げ加工可能な電気ヒーターが設けられ、該電気ヒーターは予熱対象の鍛造用金型凹部の内壁面に沿って設けられていることを特徴とする請求項１記載の鍛造用金型の予熱装置。
【発明の詳細な説明】
【技術分野】
【０００１】  本発明は、金型の形状に合わせて加工した電気ヒーターとマトリックスの組み合わせにより、金型表面を均等に加熱することにより金型全体を暖める予熱装置に関するものである。
【背景技術】
【０００２】  金型の割れ発生を防止し、成型品の精度向上を図るためには、鍛造前に金型を予熱しておく方法がとられている。【０００３】  予熱不足の金型は、鍛造作業の初期段階では金型内部と表層の温度差による熱応力が発生し、金型表層に初期クラック（ヒートチェック）が発生しやすい。コーナー部分では鋭角なＲ形状により応力集中するため初期割れを起こす要因となる。また、均一でない局所加熱（ガスバーナーなどの直火）による金型の歪みは、製品精度に著しく悪影響を及ぼす。【０００４】  金型の均質な予熱により熱応力が緩和され、クラックや割れ発生を防止し、より精度の高い製品を提供できる。【０００５】  従来金型予熱については、各社各様のやり方で取り組んでいる。プロパンガスによるガスバーナーの直火の予熱や加熱された鉄片を金型の上に置いて加熱する方法が主流である。直火による火災や災害時のプロパンガスの危険もあり、作業環境にも悪影響を及ぼしている。局部加熱は金型表面を高温にするため、金型の歪みや軟化を引き起こし摩耗による早期破損の要因となり金型寿命を短くする。【０００６】  作業者や作業時間のばらつきにより予熱状態も変わってしまうような状況で、一定の作業状態を確保できずにいる。製品の開発が進む一方で、金型の予熱に関しては研究開発があまり行われず、問題視しつつも従来の独自の方法を貫いてきているのが現状である。
【発明の概要】
【発明が解決しようとする課題】
【０００７】  これは次のような欠点があった。
（イ）金型を均一に予熱できない。
（ロ）作業者や作業時間のばらつきにより金型予熱に差が生じる。
（ハ）直火による危険性と作業環境の悪化。
（ニ）予熱中の作業停滞時間の無駄。
【課題を解決するための手段】
【０００８】  本発明は、前記のような欠点をなくし、金型内部まで２００度から２５０度に均一に予熱することにより、初期の急速な金型の温度変化を緩和し、金型の割れや軟化を防止し、初期段階から精度の高い成型品を提供可能にするためのものである。【０００９】  熱伝導性物質からなるマトリックスと該マトリックスに埋設された電気ヒーターと、曲げ加工可能な電気ヒーターとの組み合わせからなる鍛造用金型を予熱する装置である。前記ヒーターは温度制御装置とタイマーに接続されていることを特徴とする、環境に配慮した鍛造用金型の予熱装置である。
【発明の効果】
【００１０】  １．金型を全体的に均一加熱するため、金型の歪みは殆ど発生しない。
２．金型表面を局部的に高温加熱しないため金型の硬度の軟化を防ぐ。
３．熱源が電気なので予熱器本体の加熱スピードが早く、短時間に金型を適正温度に加熱できる。
４．電気ヒーターなので温度制御が可能になり、安定的に金型温度をコントロールできる。
５．タイマーセットが可能になるため事前にセットし作業時間外に予熱ができ無人化できる。
６．金型と予熱装置が殆ど密着するため、熱が外部に漏れにくく効率的に予熱できるため省エネ効果が著しい。
７．直火に比べ火災発生の危険性が著しく低下し、ＣＯ２の発生も削減できる。
【図面の簡単な説明】
【００１１】
【図１】Ａ  本発明請求項１の斜視図である。Ｂ  本発明請求項１の断面図である。
【図２】Ａ  本発明請求項２、３の斜視図である。Ｂ  本発明請求項２、３の断面図である。
【発明を実施するための形態】
【００１２】  以下、本発明を実施するための最良の形態について説明する。
金型形状に合わせたマトリックスの中にヒーターを挿入し、あるいはヒーター自体に変形を加えて金型との接地面を広くあるいは近くする。前記マトリックスの変形加工やヒーターの曲げ加工により角型・丸型・深彫型等様々な形状の金型や使用方法に合わせて製作することができる。電気ヒーターには制御装置を付け、温度やタイマーの設定を可能にし、常に同じ状態に金型を加熱できるようにする。
鍛造作業に入る前に設定可能で、タイマーをセットすることにより持ち場を離れても加熱することができる。
【符号の説明】
【００１３】１  マトリックス
２  電気ヒーター
３  制御装置
４  予熱対象の鍛造用金型
５  請求項２のマトリックス
６  請求項３の曲げ加工可能な電気ヒーター
【図１】
2010269369.tif 000003
【図２】
2010269369.tif 000004
(57)【要約】      （修正有）【課題】大雨や台風時においても効率よく水を切り、あるいは汚れを拭うことができるワイパー用ブレードを提供する。【解決手段】ワイパーに取り付けるブレードのスキージ部分４を多列化することにより、効率よく水を切ることを可能とする。また、本体１の形状は従来市販品と同一形状であり、ワイパーの金具に取り付ける溝２やブレードを補強する板金を挿入する溝３も従来市販品と同一サイズとすることにより、従来品と互換性を持たせている。【選択図】図１
2010269749.tif 000002
【特許請求の範囲】
【請求項１】
ワイパーに取り付けるブレードのスキージ部分を多列化する。
【発明の詳細な説明】
【技術分野】
【０００１】
本発明は、自動車のワイパーと称される、自動車の窓に付着した雨水、あるいは汚れを拭うブレードに関するものである。
【背景技術】
【０００２】
従来、ワイパーの金具に取り付けるゴム、あるいは柔軟樹脂製のブレードの水を切るスキージの部分は１列であった。
【発明の概要】
【発明が解決しようとする課題】
【０００３】
そのために、大雨や台風時にはワイパーを最大限の速さで作動させなけば
ならず、それでも十分に自動車の窓にふりそそぐ水を切ることができなかった。
【課題を解決するための手段】
【０００４】
ブレードの水を切るスキージの部分を１列より多列化し、効率よく水をる
ことを可能とする。
【発明の効果】
【０００５】
本発明により、ブレードを取り付けるワイパーの金具の形状を変えることなく、スキージ部分が多列のブレードに交換可能となるので、水切り効果、あるいは汚れを除去する効率が向上する。
【図面の簡単な説明】
【０００６】
【図１】本発明の斜視図
【発明を実施するための形態】
【０００７】
以下、本発明を実施するための最良の形態について説明する。
イ、本体（１）の形状は従来市販品と同一形状であり、したがって、ワイパーの金具に取り付ける溝（２）も同一サイズである。
ロ、本発明との関連性はないが、ブレードを補強する板金を挿入する溝（３）も、従来品と互換性を持たせるため、同一サイズとする。
ハ、自動車の窓と接するスキージ部分（４）を多列にする（本発明の説明上、図上では２列にしてあるが、３列以上でも本発明の目的は達しうる）。
【符号の説明】
【０００８】
１  本体
２  ワイパー取り付け金具用溝
３  補強板金金具挿入用溝
４  スキージ                                                                                                                                                                                                                                  
【図１】
2010269749.tif 000003
(57)【要約】      （修正有）【課題】従来の自転車のグリップカバーが持つ握り心地、滑り止め、あるいは指圧効果に加え、胸の筋肉を刺激し鍛えることを可能とするグリップカバーを提供する。【解決手段】グリップカバー１に突起部２を設けてそこを手のひらで押すことで胸の筋肉を刺激し鍛えることができる。突起部２はグリップから剥がれないように一体成型したグリップカバー１である。なお、グリップカバー１は合成ゴムやエンプラ製であり、ハンドルのグリップに挿入し易いやわらかさである。【選択図】図１
2010269777.tif 000002
【特許請求の範囲】
【請求項１】
手のひらで押すことができる突起部がある自転車のグリップカバーである。
【請求項２】
この突起部がグリップから剥がれないように一体成型したグリップカバーである。
【発明の詳細な説明】
【技術分野】
【０００１】  この発明は、自転車のグリップ部に突起部を含んだカバーを装着した上で、その突起部を手のひらで押すことにより胸の筋肉を刺激し鍛えて、胸囲を大きく又はバストアップを図ることができる自転車用グリップカバーに関する。
【背景技術】
【０００２】  従来の自転車用グリップカバーには、握り心地、滑り止めを図るグリップカバーや指圧効果のあるグリップカバーがある。
【先行技術文献】
【特許文献】
【０００３】
【特許文献１】特許出願２００６−４４６４３
【特許文献２】特許出願２００１−２６７９８２
【発明の概要】
【発明が解決しようとする課題】
【０００４】  しかしながら、以上の技術によれば自転車のグリップカバーは握り心地、滑り止め、あるいは指圧効果があるだけであった。
そこで、この発明は、胸の筋肉を刺激し鍛えることを提供することを課題とする。
【課題を解決するための手段】
【０００５】  以上の課題を解決するために、第一の発明は、手のひらで押すことができる突起部があるグリップである。
また、第二発明は、この突起部がグリップから剥がれないように一体成型したグリップカバーである。
【発明の効果】
【０００６】  突起部がある成型されたグリップカバーを握るのでなく手のひらで押すことで胸の筋肉を刺激し、鍛えることができる。
【図面の簡単な説明】
【０００７】
【図１】この発明の一実施形態示す斜視図である。
【図２】この発明の正面図である。
【図３】この発明の側面図である。
【発明を実施するための形態】
【０００８】  この発明の一実施形態を、図１に示す。
自転車用グリップカバーは合成ゴムやエンプラ製であり、ハンドルのグリップに挿入し易いやわらかさである。
【０００９】  又、突起部だけを自転車用グリップに貼り付けると剥がれたり剥されたり盗難される恐れがあるため、一体成型にする。
【００１０】  突起部は手のひらで押すため、手のひらを痛めたりしないやわらかさが必要であるが、製作できない場合には突起部の中を空洞にして突起部に空気の出る通路を設け空気を逃がして必要なやわらかさの代わりにすることもできる。
【実施例】
【００１１】  この発明の一実施形態を、図１に示す。
【符号の説明】
【００１２】  １  グリップカバー
２  突起部
【図１】
2010269777.tif 000003
【図２】
2010269777.tif 000004
【図３】
2010269777.tif 000005
(57)【要約】【課題】  ゴルフのショットをするとき、右利きのプレーヤーであれば、クラブを高く振り上げようとするとき左腕のひじが曲がるという欠点が生じやすいので、これを矯正できるゴルフ練習用ひじ矯正サポーターを提供する。【解決手段】  ２枚の布地（他に革地、樹脂シート等でもよい）を連続した縦に長い袋状に縫い、この中に丸棒、あるいはパイプを挿入し、丸棒が抜け落ちないように布地の周りを縫い閉じる。この布地の左右の端面に、マジックテープ（登録商標）の凹と凸を縫い付け、布地を円筒形にして左のひじに巻き付け、止める事を可能とするのを特徴とするゴルフ練習用のひじ矯正ホルダーである。  【選択図】  図１
2010269041.tif 000002
【特許請求の範囲】
【請求項１】
以下、右利きプレーヤーを対象として記すが、左利きプレーヤーは反対になる。
布地２枚を合わせ、丸棒を挿入できる連続した袋状に縫い、その袋部に丸棒を挿入した後抜け落ちないように外周を縫い閉じ、その布地の両端に縦長の袋部と直角を成すようマジックテープ（登録商標）を縫いつけて完成した布地を、左腕のひじの部分に円筒形にして巻き付け、縫いつけたマジックテープ（登録商標）で止め付けることにより、ゴルフのショットのとき、左腕のひじが曲がるのを矯正することを特徴とするゴルフ練習用ひじ矯正サポーター。
【発明の詳細な説明】
【技術分野】
【０００１】
本発明は、ゴルフボールをクラブでショットするとき、クラブを握った右利きのプレーヤー（以下、右利きプレーヤーを対象に記す）の場合、左腕のひじが曲がらず棒状に真っ直ぐ振り上げられるのが理想のフォームとされているが、左腕が曲がりがちとなる、主にアマチュアプレーヤーの左腕のひじを真っ直ぐに振り上げられるように矯正するホルダーに関するものである。
【背景技術】
【０００２】
従来、クラブを振り上げたときに、曲がりがちな左腕のひじを真っ直ぐに振り上げられるよう矯正するホルダーは無かった。
【発明の概要】
【発明が解決しようとする課題】
【０００３】
そのために、次のような問題点があった。
イ、身体の硬さ、あるいは老化により、クラブを高く振り上げれば振り上げるほど左腕のひじが曲がってしまう。
ロ、 左腕のひじが曲がれば、正確なショットができない。
ハ、プレーヤーの意思及び身体能力だけで、これを矯正することは大変難しかった。
本発明は、上記のような欠点をなくすためになされたものである。
【課題を解決するための手段】
【０００４】
２枚の布地（他に革地、樹脂シート等でもよい）を連続した縦長の袋状に縫
い袋部を形成し、この中に丸棒、あるいはパイプを挿入し、それらが抜け落ちないように布地の周りを縫い閉じる。この布地の左右の端面に、袋部と直角方向をなすようマジックテープ（登録商標）の凹と凸を縫い付け（これらは、止め金具とバンドでもよいが、簡便性上ここではマジックテープ・登録商標とする）、布地は縦方向に円筒形をなすよう柔軟性を持たせ、左腕のひじに巻き付けて止める事を可能とする。
以上を特徴とするゴルフ練習用のひじ矯正ホルダーである。    
【発明の効果】
【０００５】
本発明のホルダーを左腕のひじに巻き付けた後、クラブを振り上げればひじが曲がるということが生じないので、欠点が矯正される。これを用いて練習を繰り返せば、自然にひじが曲がるという欠点が矯正されていき、ショットの技術の向上につながる。
【図面の簡単な説明】
【０００６】
【図１】本発明の一部を切り欠いた正面図
【図２】本発明の使用時の一部を切り欠いた斜視図
【発明を実施するための形態】
【０００７】
以下、本発明を実施するための最良の形態について説明する。
イ、布地表（１）と布地裏（２）を連続した縦長の袋状である袋部（３）を縫い線（８）で３縫い形成する。
ロ、各袋部（３）に丸棒（４）を挿入し、抜け落ちないよう外周りをステッチ線（５）で２枚の布地（１）と（２）を縫い閉じる。
ハ、布地の両端に、袋部と直角方向をなすよう片側にマジックテープ・登録商標凹（６）その反対側にマジックテープ・登録商標凸（７）を縫い付け、止め合わせる事により布地を丸めて円筒形を形成できるようにする。
ニ、丸棒を挿入し縫い合わせた布地は、当然のことに円筒形を形成する柔軟性を有するようにする。
本発明は以上のような構成で、これを使用し、ゴルフのショットを練習するときは丸棒が挿入されて布地表（１）と布地裏（２）が縫い合わされたサポーターを左腕のひじの部分を中心に巻き付け、腕にフィットする硬さでマジックテープ・登録商標（６）と（７）を合わせて止める。これによりクラブを振り上げれば、当然左腕が曲がることは矯正されるが、身体が硬く、ひじの曲がる癖のあるプレーヤー（特にアマチュアに多く、テレビでゴルフ番組を見ていれば分かるようにプロのプレーヤーは左腕が真っ直ぐに振り上げられているが、アマチュアプレイヤーは曲がる傾向にある）にとって、欠点である悪い癖は矯正される。
また、本発明の使用はゴルフ場、あるいはゴルフの練習場（一般に打ちっ放しといわれている）以外、室内でも本サポータをつけ、ダンベルなどを持って腕をふることにより、狭いスペースで空き時間を利用して練習が出来るのも特徴である。  
【符号の説明】
【０００８】
１  布地表
２  布地裏
３  連続縫い合わせ袋
４  丸棒
５  ステッチ線
６  マジックテープ（登録商標）凹
７  マジックテープ（登録商標）凸
８  袋縫い線                                                                                                                                                                                                                                              
【図１】
2010269041.tif 000003
【図２】
2010269041.tif 000004
(57)【要約】【課題】  従来、靴を履きやすくするための工夫はなされてきたが、踵部分に開口部を設け、履きやすくすると同時に足とのフィット感を調整する靴はなかった。これを解決し、踵部分を開口、開閉式とし、フィット感も調整できる靴を提供する。【解決手段】    靴の踵部分に開口部を設け、開いて履きやくすると同時に、開口両端にマジックテープを取り付け、開口部分を覆うため底部が靴と一体となるカバー片を設け、それの両端にもマジックテープを取り付け、靴を履いた後カバー片と開口部分をマジックテープで取り付けて閉じる方式の、踵部分を開口、開閉式とした靴。ワイパーに取り付けるブレードのスキージ部分を多列化する。【選択図】  図１
2010269040.tif 000002
【特許請求の範囲】
【請求項１】
靴の踵部分に開口部を設け、開いて履きやくすると同時に、開口両端にマジックテープを取り付け、開口部分を覆うため底部が靴と一体となるカバー片を設け、それの両端にもマジックテープを取り付け、靴を履いた後カバー片と開口部分をマジックテープで取り付けて閉じる方式の、踵部分を開口、開閉式とした靴。
【発明の詳細な説明】
【技術分野】
【０００１】
本発明は、靴の踵部分を開口し、その開口部を一部が踵と胴体となった一片で開口部を覆う靴に関するものである。
【背景技術】
【０００２】
従来、靴を履きやすくするため、あるいは幼児などの場合履かせやすくするため、靴の踵の部分をジッパーで開閉する方式の靴はあった。またブーツなどでは、側面の一部をジッパーで開閉する方法はあった。
【発明の概要】
【発明が解決しようとする課題】
【０００３】
ジッパーではサイズの調整ができない上、靴下を履いた足で靴を履き、ジッ
パーで止めつける場合にジッパーが靴下に噛み込んだり、足は運動する部分であるので、ジッパーが壊れやすいという欠点があった。
【課題を解決するための手段】
【０００４】
イ、靴の踵の部分にある幅を有する開口部を設け、その両端にマジックテー
プ凸を取り付ける。
ロ、開口部にマジックテープ凸を取り付けた幅に合致する、底部が靴と一体となった幅で、長さが靴の高さと同じ開口部のカバー片を設ける。
ニ、カバー片の両端にマジックテープ凹を取り付ける。
【発明の効果】
【０００５】
本発明により、靴を履くときは踵の開口部を開くことにより容易に履くこと
ができ、カバー片で開口部を覆うことにより靴本来の用途を達成できる。
また、開口部を足に合わせ、開き気味、あるいは閉め気味にカバー片で踵を覆うことにより、より足にフィットした履き心地が得られる。
幼児や子供の場合、足の発達が早く、すぐ大きくなるのでまだ使用可能な靴
でも買い替えの必要が生じるが、本発明の開口部の開閉により、多少のサイズの調整が可能となるので、買い替え時期を延ばすことが出来る。
さらに、保育園などでは、園外に園児を散歩に連れて行くとき、何人もの靴
を履かせるのが大変な作業であったが、本発明のくつにより、その作業を迅速かつ容易に行える。
【図面の簡単な説明】
【０００６】
【図１】本発明の斜視図
【発明を実施するための形態】
【０００７】
以下、本発明を実施するための最良の形態について説明する。
イ、本体（１）の踵部に開口部（２）を設ける。
ロ、開口部（２）の両端にマジックテープ凸（３）を取り付ける。
ハ、開口部のカバー片（４）を、底部を靴本体と一体とし、幅は本体マジックテープ凸（３）と合致するよう設ける。
ニ、カバー片両端にマジックテープ凹（５）を取り付ける。
【符号の説明】
【０００８】
１  本体
２  開口部
３  マジックテープ凸
４  カバー片
５  マジックテープ凹                                                                                                                                                                                                                                
【図１】
2010269040.tif 000003
(57)【要約】【課題】フットサルの試合の記録を取る方法とその記録用紙および入力閲覧システムに対し、記録を取る手間を増やさずに記録内容を豊富にする。【解決手段】これまでも存在する公式記録に記載の情報以外に選手別、時間帯別に出場・交代・シュート数・ファール数等を記録でき、かつ試合進行中に容易に一人で記載または入力できる。【選択図】図１
2010269099.tif 000002
【特許請求の範囲】
【請求項１】
フットサルの試合内容を記録する用紙において、選手別・時間帯別に交代やシュート数・ファール数等の記載が試合中に可能なことを特徴とする用紙（スコアシート）の形状とそれを冊子にしたスコアブック、およびその記載方法。
【請求項２】
請求項１と同じ形状的特徴をもつ入力システムおよびその情報の閲覧システム。このシステムにおいては試合中の記載を特徴とせず、記録整理のために試合後スコアシート等からの入力の場合も含む。
【発明の詳細な説明】
【技術分野】
【０００１】  この発明はフットサルの試合の記録を取る方法とその記録用紙およびシステムに係り、特に、その記録内容の豊富さと記録の取り易さに関する。
【背景技術】
【０００２】  近年急速に普及するフットサルであるが、フットサルの試合内容を記録する文書としては日本サッカー協会が用いる「公式記録」がある。（例えば、非特許文献１参照。）この従来型公式記録はベンチ入り選手・先発出場者・得点数・シュート数・チーム累積ファール数等が記録できる。なお記録の取り方は紙等への記載かシステムへの入力であるが、記録媒体が違うのみでその記録内容は同じである。
【先行技術文献】
【非特許文献】
【非特許文献１】従来型公式記録として、Ｆリーグ２００８−２００９年公式記録第２１節バルドラール浦安  対  ペスカドーラ町田  を添付。
【発明の概要】
【発明が解決しようとする課題】
【０００３】  従来型公式記録では試合のどの時間帯にシュートがあったかや、その時間にどの選手が出場していたか、また選手別のファール数などは記録されていない。フットサルは試合中に頻繁に出場選手の入れ替えがあるため、どの選手が出場していたか、その選手が出場している間にどちらのチームのシュート数が多かったか等は、その試合内容の詳細を知るために大変重要な要素である。これらの要素は共通点の多いスポーツであるサッカーでは公式記録となっていることからも、必要であることは明白である。さらに、サッカーにないフットサル独自の特徴としてチーム内に「セット」と呼ばれるコンビネーションの良い組み合わせの選手グループを作り、そのセット単位で複数同時に選手交代することも多い。そのため選手別・時間帯別の記録は、選手の個人記録のみならず、各セットでのシュート数・および被シュート数等が戦力分析やトレーニングをする上で大きな要素となっている。また公式記録のみならず、これらの記録を取ることの出来る用紙は一般に存在しない。さらに、小さいコートで連続的にプレーが行われるフットサルでは、記録すべきプレーが頻繁に発生するため、白紙や方眼升目等の用紙やそれに多少の加工をした用紙に、これらの記録を試合中に記載ことは非常に困難であり、公式大会・余暇の練習試合等を問わずこれら記録を取る行為は一般的に行われていない。本発明はこのようなフットサルの現状に着目し、記録上、分析上に有効な内容で、かつ試合進行中に記載可能なフットサルスコアシートとスコアブック、および入力閲覧システムまたその記載入力方法を提供することを目的とする。
【課題を解決するための手段】
【０００４】このような目的を達成する本発明は、大会名・日時・試合形式・会場・記録者・チーム名・得点・得点者・登録選手名・出場選手名・警告退場者・タイムアウト時間等を記録でき、さらに背番号・先発出場者・出場履歴・交代時間・シュート数・ファール数等を選手別・時間帯別に記録でき、かつ試合進行中に容易に一人で記載できる用紙、または用紙と同特徴の入力閲覧システムである。
【発明の効果】
【０００５】本発明によれば、従来型公式記録等の記載とほぼ同じ手間でより多くの記録が取れるようになり、特に選手別・セット別の戦力分析が可能になるため、ビデオ分析などを行わなくとも試合の詳細や選手の調子などを容易に理解できるようになる。余暇でフットサルを行う人は増えているが、これにより競技者本人やチームの状態、得意不得意な部分が把握しやすくなり、トレーニングや楽しみの向上に役立つことができる。またフットサルは２００７年よりプロ化を目指した有料観戦のＦリーグが始まるなど観戦ファンも増えているが、ファンが本発明による記録を見ることで短時間にチーム・選手の状態を理解できより興味が増すなど、フットサルファンの普及、商業化の拡大に貢献できる。
【発明を実施するための形態】
【０００６】  以下、本発明のフットサルスコアシートの実施の一形態とその記録方法について、図面を参照して説明する。図１は縦型で１チーム重点分析を特徴とするが、他に横型や２チーム選手名総記入の公式試合記録型などが可能である。
【図面の簡単な説明】
【図１】本発明を利用して作成したスコアシート用紙の例。本例は縦型で１チーム重点分析を特徴とする。実線とゴシック体の文字があらかじめ印刷されたシート本体。手書き文字部分が記入例である。
【図１】
2010269099.tif 000003
(57)【要約】      （修正有）【課題】シャワーヘッドに取り付けたボールからシャワーし、そのボールで体を叩いてマッサージする、シャワーヘッドを提供する。【解決手段】シャワーヘッド１のシャワー口に、半割り状のボール２を設け、そのボール２に多数の穴３を設ける。ボール穴からシャワーとなって温水や水が出てくるもので、シャワーを浴びながらシャワーするボール２で、軽く体を叩いて筋肉の凝りを取る。そしてこれによって心地良い刺激のマッサージとなる。【選択図】図１
2010269100.tif 000002
【特許請求の範囲】
【請求項１】
シャワーヘッド（１）のシャワー口に、半割り状のボール（２）を設け、そのボール（２）に多数の穴（３）を設ける。
以上の如く構成されたボールシャワーヘッド。
【発明の詳細な説明】
【発明の詳細な説明】
【技術分野】
【０００１】この発明は、シャワーヘッドに取り付けたボールからシャワーし、そのボールで体を叩いてマッサージする、シャワーヘッドに関するものである。
【背景技術】
【０００２】温水や水が出るシャワーで体を洗っている。この時、シャワーを浴びながら体を軽く叩いて筋肉の凝りを取りたい気分であるが、しかしながら、シャワーしながら体を叩くというシャワーヘッドはない。
【発明が解決しようとする課題】
【０００３】したがって、本案はシャワーを浴びながら体を軽く叩いて、マッサージが出来るようになされたものである。
【課題を解決するための手段】
【０００４】いま、その構成を説明すると、
シャワーヘッド（１）のシャワー口に、半割り状のボール（２）を設け、そのボール（２）に多数の穴（３）を設ける。
以上の構成のボールシャワーヘッド。
【発明を実施するための形態】
【０００５】次に発明の実施の形態を述べると、シャワーヘッド（１）のシャワー口に、半割り状のボール（２）を設け、そのボール（２）に多数の穴（３）を設ける。
以上の本案のボールシャワーヘッドは、ボール穴からシャワーとなって温水や水が出てくるもので、そしてこれを使用する時は、シャワーを浴びながらシャワーするボールで、軽く体を叩いて筋肉の凝りを取る。そしてこれによって心地良い刺激のマッサージとなる。
又、シャワーがもったいない場合は、シャワーを止めてボールで体を軽く叩いてもマッサージとなる。
【発明の効果】
【０００６】シャワーするボールで、体を軽く「タントン」叩くと体の凝りが取れる。これによって疲労回復となる。
【図面の簡単な説明】
【図１】本案のボールシャワーヘッドの斜視図
【図２】本案のボールからシャワーする斜視図
【図３】本案のシャワーするボールで、体を叩いてマッサージする使用図
【符号の説明】１は、シャワーヘッド
２は、ボール
３は、穴
【図１】
2010269100.tif 000003
【図２】
2010269100.tif 000004
【図３】
2010269100.tif 000005
(57)【要約】【課題】本発明は３通りの使い方ができる赤ちゃんの授乳補助マクラを提供する。乳児が寝たまま一人で授乳ができ、母親が腕に通しおっぱいマクラとして利用でき乳児が頭を乗せて使うベビーマクラとして３通り使用でき、母親のストレスが少しでも軽減できる育児用品を提供する。【手段】授乳補助マクラの側面両サイドに２カ所ずつ計４カ所にゴムを設け背面には布とゴムを使って筒状に縫製し、そのカバーの中に入る素材は流動的な柔らかい素材を採用し、自由自在に形が変えられる事ができ、哺乳瓶をホールドし授乳マクラとして使用したり、母親の腕に通しおっぱいマクラとして使用したり、乳児の頭を乗せてベビーマクラとして３通り使えるマクラとして利用する。以上よりなる赤ちゃん授乳補助マクラである。【選択図】図１
2010269102.tif 000002
【特許請求の範囲】
【請求項１】
授乳補助マクラの側面両サイドに２カ所ずつゴムを設け、哺乳瓶を安定して固定でき乳児の授乳を補助する特徴をもつ赤ちゃん授乳補助マクラ。
【請求項２】
赤ちゃん授乳補助マクラの背面に腕を通す部分を布とゴムで筒状に設け母親が腕を通し、乳児の頭を乗せ母乳を飲ませる時の授乳を補助する特徴をもつ赤ちゃん授乳補助マクラ。
【請求項３】
赤ちゃん授乳補助マクラをベビーマクラとして乳児が頭を乗せて使用する事の出来るのを特徴とする、赤ちゃん授乳補助マクラ。
【発明の詳細な説明】
【技術分野】
【０００１】  本発明は乳児が寝たままの姿勢でミルクを飲めるよう授乳を補助するマクラである。授乳まくらとして、母親の腕に通して使うおっぱいマクラとして、乳児の頭を乗せて使うベビーマクラとして、３通りの使い方の出来るマクラに関するものである。
【背景技術】
【０００２】  従来、授乳の時は母親が乳児を抱っこし、哺乳瓶を手で持ち飲ませるが、乳児一人で飲ませようとした時、バスタオルやクッションなどで高さと角度をつけ、乳児一人でミルクが飲めるようにしていた。  また、母乳の場合は腕に乳児の頭を乗せるが体温が上がるため汗をかきやすいので腕にハンカチやタオル等をひいて汗を吸収し、乳児が愚図るのを防いでいた。
【発明の開示】
【発明が解決しようとする課題】
【０００３】  そのために次のような問題点があった。  （イ）仰向けに寝かせたままの姿勢で乳児一人でミルクを飲ませようとした時バスタオルなどで角度をつけ飲ませていると哺乳瓶が落ちてしまったり、乳児の顔にあたるなど危険があった。  （ロ）母乳の場合、汗を吸収する為ハンカチやタオルを乗せおっぱいを飲ませるが乗せているだけなので安定が悪く、授乳が終わり寝かせようとした時に乳児が泣いてしまい時間が取られて母親のストレスとなってしまっていた。  本発明は以上の問題点を解決するためになされたものである。
【課題を解決するための手段】
【０００４】  赤ちゃん授乳補助マクラの側面両サイドに２カ所づつゴムを設け、背面にも布を筒状に縫製し、その両端部にゴムを設ける。内部には発砲ビーズの柔らかい流動する素材の物を内袋に入れて設ける。下側には開閉でき、洗濯し清潔に保てるファスナーを設ける。  本発明は以上の構成よりなる赤ちゃん授乳補助マクラである。
【発明の効果】
【０００５】  柔軟な材質からなるマクラ（１）を設け、このマクラの側面に２カ所ずつ両サイドにゴムを設ける事で哺乳瓶を安定してホールドする事ができ乳児に哺乳瓶が落下したり飲みにくくなり鼻に入るなど危険が防止できる。片方の側面に哺乳瓶を固定し、反対側の２カ所のゴム上段のゴムを下ファスナー部分までまわし込み内部のクッションを圧迫する事で高さが調節でき乳児が一人で授乳できるよう補助する事ができる。【０００６】  背面に生地を筒状に縫製しその両端部にゴムを設ける事により、母親が腕を通しおっぱいマクラとして乳児の頭を乗せ授乳する時ある程度の高さがあるので飲ませやすく授乳が楽になり、汗も吸収し、乳児が寝てしまったらそっと腕を抜きベビーマクラとして乳児はそのまま眠りにつくことが出来る。すなわち、母親のストレスも軽減できる。【０００７】  流動的な柔軟な素材から出来ている為、乳児が頭を乗せた時に頭にフィットし、安定したベビーマクラとして使用する事が出来る。  ３通りの使い方の出来る赤ちゃん授乳補助マクラである。
【発明を実施するための最良の形態】
【０００８】  以下、本発明の実施の形態を説明する。  （イ）哺乳瓶ホールド用ゴム（５）（６）に哺乳瓶を通して（３）のホールド用ゴムをファスナーのある部分まで下へまわし込み使用する事によって、高さ調節ができ授乳が補助できる。ゴム（３）（４）（５）（６）を設けている。  （ロ）背面に生地とゴムで筒状に縫製し、その中に腕を通して（７）（７）で腕でホールドできるゴムを設けている。  （ハ）（２）の台部材を下に置き、形をととのえて乳児の頭を乗せる部分は吸水性のある乳児に優しい生地を使い快適に眠れるマクラを設けている  （ニ）この赤ちゃん授乳補助マクラ一つあるだけで３通りの使い方ができ、日々の育児に欠かせない物となるはずです。子供のすこやかな成長は母親にとって育児ストレスの軽減となり、親子にとって便利な赤ちゃん授乳補助マクラです。
【図面の簡単な説明】
【０００９】
【図１】（ａ）は本発明の正面図である。
【図２】（ｂ）は母乳を授乳する時のおっぱいマクラの使用動作を説明する斜視図である。
【図３】（ｃ）は乳児がマクラとして使う使用状態を示す正面図である。
【図４】（ａ）は本発明の使用状態を示す斜視図である。
【図５】（ｂ）は（ａ）の形状で使用するまでの動作の途中を説明する側面図である。
【符号の説明】
【００１０】  （１）赤ちゃん授乳補助マクラ全体図  （２）台部材  （３）哺乳瓶ホールド用ゴム（ａ）  （４）哺乳瓶ホールド用ゴム（ｂ）  （５）哺乳瓶ホールド用ゴム（ｃ）  （６）哺乳瓶ホールド用ゴム（ｄ）  （７）腕ホールド用ゴム  （８）ファスナー開閉口  （９）母親の腕  （１０）乳児  （１１）哺乳瓶
【図１】
2010269102.tif 000003
【図２】
2010269102.tif 000004
【図３】
2010269102.tif 000005
【図４】
2010269102.tif 000006
【図５】
2010269102.tif 000007